(57)【特許請求の範囲】
【請求項１】
防護柵支柱に夜間視認用部材が取着され、前記夜間視認用部材は、内径が防護柵支柱の外径より稍々小径となされた環状の弾性体の表面に蓄光性蛍光体が保持されたものであって、内径を拡げて防護柵支柱に高さ調整が可能に締着されるものであることを特徴とする夜間視認性を高めた防護柵。
【請求項２】
夜間視認用部材は、環状の弾性体が蓄光性蛍光体が練り込まれた弾性高分子材料を成型して作製されたことを特徴とする請求項１記載の夜間視認性を高めた防護柵。
【請求項３】
夜間視認用部材は、環状の弾性体の表面に蓄光性蛍光体が塗布または貼付されたことを特徴とする請求項１記載の夜間視認性を高めた防護柵。
【請求項４】
夜間視認用部材は、環状の弾性体がエラストマーを成型して作製されたことを特徴とする請求項１から請求項３のいずれか１項に記載の夜間視認性を高めた防護柵。
【発明の詳細な説明】
【０００１】
【発明の属する技術分野】
本発明は、夜間視認性を高めた防護柵に関する。
【０００２】
【従来の技術】
従来、防護柵の夜間視認性を高める方法として、再帰反射性を有する反射材が取着された防護柵や、反射シートが貼付された防護柵が知られていた。
【０００３】
【発明が解決しようとする課題】
しかしながら上記の如き防護柵に於いては、反射光によって夜間視認性を高めるようなされているため、車両のドライバーに対してはヘッドライトの反射光が視認され視認性が高められるが、歩行者や無灯火の自転車等の照射光を発しないものに対しては視認性を高めることが出来なかった。又、夕暮れ時等車両がスモールランプを点灯しヘッドライトを点灯する直前にはほとんど効果がなかった。最近特に周囲の景観に配慮してダークブラウン等の色調となされた防護柵に於いては、前記問題が顕著であった。
【０００４】
そこで本発明者は従来の欠点に鑑み鋭意研究の結果、歩行者や無灯火の自転車等の照射光を発しないものに対しても夜間視認性を高められ、夕暮れ時等車両がヘッドランプを点灯する前にも十分な視認性を得られるようになされた夜間視認性を高めた防護柵を提供するものである。
【０００５】
【課題を解決するための手段】
本発明請求項１記載の夜間視認性を高めた防護柵は、防護柵支柱に夜間視認用部材が取着され、前記夜間視認用部材は、内径が防護柵支柱の外径より稍々小径となされた環状の弾性体の表面に蓄光性蛍光体が保持されたものであって、内径を拡げて防護柵支柱に高さ調整が可能に締着されるものであることを特徴とするもので、この夜間視認用部材が昼間太陽光を吸収し夜間蛍光を発し夜間の防護柵の視認性を高めるものである。前記環状の弾性体とは合成樹脂やゴム等の弾性高分子材料で作製された環状体を示し、蓄光性蛍光体が保持されとは成型された弾性体の表面に蓄光性蛍光体が塗布または貼着されたもののみではなく、前記合成樹脂やゴム等の高分子材料に蓄光性蛍光体が練り込まれ成型されたものも示すものである。
【０００６】
本発明請求項２記載の夜間視認性を高めた防護柵は、上記の夜間視認用部材が、環状の弾性体が蓄光性蛍光体が練り込まれた弾性高分子材料を成型して作製されたもので、製作が容易で、蓄光性蛍光体が表面から剥がれたりすることがなく長期間に亘って安定して使用される。
【０００７】
本発明請求項３記載の夜間視認性を高めた防護柵は、上記の夜間視認用部材が、環状の弾性体の表面に蓄光性蛍光体が塗布または貼付されたもので、蓄光性蛍光体が環状の弾性体の表面にのみ保持されるので少量の蓄光性蛍光体で十分な光量の蛍光が得られ経済性に優れたものである。
【０００８】
本発明請求項４記載の夜間視認性を高めた防護柵は、上記の夜間視認用部材が、環状の弾性体がエラストマーにより作製されたもので、エラストマーが一般に天然ゴムより対候性に優れるので長期に亘って劣化すること無く安定して使用される。
【０００９】
【発明の実施の形態】
以下、図面を参照しながら本発明に付いて説明する。
【００１０】
１は支柱であり、地表に適宜間隔で立設されている。支柱１間には複数のビームパイプ２が架設され、防護柵となされている。この支柱１の頂部近傍に環状の弾性体が締着され夜間視認用部材３となされている。支柱１は一般には断面円形等の金属管で作製されるが、これに限るものではなく断面４角形等他の形状でもよいし、石やコンクリート等他の材料で作製されてもよい。
【００１１】
夜間視認用部材３は合成ゴムや熱可塑性エラストマー等のエラストマーや天然ゴム等の弾性高分子材料に蓄光性蛍光体が練り込まれた材料を前記支柱１外径より内径が稍々小径の環状に成型して作製されるが、合成ゴムや熱可塑性エラストマー等のエラストマーが一般には対候性に優れ好適に用いられる。
【００１２】
夜間視認用部材にもちいられる蓄光性蛍光体とは、太陽光や電灯等の光のエネルギーを吸収蓄積し、光源を取り除いた後、暗所で光を徐々に放出して発光する蛍光材料のことであり、例えばカルシウム、バリウム、亜鉛等の酸化物、硫化物、ケイ酸塩、リン酸塩等を主成分とするものである。これらにおいて特に酸化物系は耐候性に優れ、屋外での使用に対して好適であると共に、太陽光や他の紫外光により蓄光されやすく昼間太陽光を吸収蓄積すれば一晩中光り続ける。又、その発光された輝きは遠くからでも視認が可能であり、また発光ピークが一般に５２０ｎｍ前後であり、色としても視認性が良好である。
【００１３】
防護柵への夜間視認用部材の取着は、環状のこの夜間視認用部材を手指で拡げ防護柵の支柱の頂部近傍に締着される。又、防護柵を新設するときは最上段のビームパイプ２の下側に取り付けられれば、盗難に合いにくく好ましいし、既設の防護柵に取り付けるときは最上段のビームパイプ２の上に取り付けられれば良い。夜間視認用部材の内面に両面テープを貼着したり、接着剤を塗布しておけば更に外れにくくなり好ましい。
【００１４】
【発明の効果】
上述の如く、本発明請求項１記載の夜間視認性を高めた防護柵において、夜間視認用部材は内径が防護柵支柱の外径より稍々小径となされた環状の弾性体であるので、手指で拡げるだけで容易に防護柵の支柱に高さ調整が可能に締着され、締着後の高さ調整が容易で、蓄光性蛍光体が表面に保持されているので、この夜間視認用部材が昼間太陽光を吸収し夜間蛍光を発し夜間の防護柵の視認性を高めるものである。
【００１５】
又、本発明請求項２記載の夜間視認性を高めた防護柵において、夜間視認用部材は環状の弾性体が蓄光性蛍光体が練り込まれた弾性高分子材料を成型して作製されたもので、製作が容易で、蓄光性蛍光体が表面から剥がれたりすることがなく長期間に亘って安定して使用される。
【００１６】
又、本発明請求項３記載の夜間視認性を高めた防護柵において、夜間視認用部材は環状の弾性体の表面に蓄光性蛍光体が塗布または貼付されたもので、蓄光性蛍光体が環状の弾性体の表面にのみ保持されるので少量の蓄光性蛍光体で十分な光量の蛍光が得られ経済性に優れたものである。
【００１７】
又、本発明請求項４記載の夜間視認性を高めた防護柵において、夜間視認用部材は、環状の弾性体がエラストマーにより作製されたもので、エラストマーが一般に天然ゴムより対候性に優れるので長期に亘って劣化すること無く安定して使用される。
【図面の簡単な説明】
【図１】本発明の実施形態の一例を示す防護柵の正面図である。
【図２】図１の支柱回りの拡大正面図である。
【符号の説明】
１  支柱
２  ビームパイプ
３  夜間視認用部材
【図１】
0003634524.tif 000002
【図２】
0003634524.tif 000003